(57)【要約】      （修正有）【課題】ファイルを表示画面上にオープンする場合に、元の画面上に重ならないように表示できる情報処理装置、情報処理方法及びそのプログラムを提供する。【解決手段】タブレット端末１０は、表示部２０の画面上に指定されたファイルを表示する。操作判定部３１は、ファイルあるいはそのリンク先を示すファイル関連情報に対するファイルオープンの操作種類を判定する。操作判定部がフリック操作によるフリック方向を判定した場合、表示制御部３３はフリック方向の画面端側にウィンドウを生成し、ウィンドウ内にファイルをオープン表示して、残りの表示領域に合せて元画面を表示する。【選択図】図１
2018010678.tif 000002
【特許請求の範囲】
【請求項１】
表示装置の画面上に指定されたファイルをオープンして表示する情報処理装置であって、
前記ファイルに対するファイルオープンの操作を判定し、前記操作が前記ファイルに対して何れかの画面端に向かうフリック操作であるかを判定する操作判定部と、
前記操作判定部により前記フリック操作によるフリック方向が判定された場合、判定されたフリック方向の画面端側にウィンドウを生成し、前記ウィンドウ内に前記ファイルをオープン表示して、残りの表示領域に合せて元画面を表示する表示制御部と、
を備えることを特徴とする情報処理装置。
【請求項２】
前記操作判定部が判定するフリック方向は、前記表示装置の表示画面の上下左右のいずれかの方向であることを特徴とする請求項１に記載の情報処理装置。
【請求項３】
表示装置の画面上に指定されたファイルを表示する情報処理方法であって、
前記ファイルに対するファイルオープンの操作を判定し、前記操作が前記ファイルに対して何れかの画面端に向かうフリック操作であるかを判定する操作判定ステップと、
前記操作判定部により前記フリック操作によるフリック方向が判定された場合、判定されたフリック方向の画面端側にウィンドウを生成し、前記ウィンドウ内に前記ファイルをオープン表示して、残りの表示領域に合せて元画面を表示する表示制御ステップと、
を備えることを特徴とする情報処理方法。
【請求項４】
コンピュータに、請求項３に記載の情報処理方法の各ステップを実行させるためのプログラム。
【発明の詳細な説明】
【技術分野】
【０００１】
本発明は、表示画面上にウィンドウを開いて、そこにファイルをオープンする情報処理装置、情報処理方法及びそのプログラムに関する。
【背景技術】
【０００２】
パソコンやタブレット端末では、メールやアプリケーションファイルにファイルが添付されている事がある。この添付されているファイルをオープンする場合に、添付されているアイコンをタッチパネルやマウスのようなポインティングデバイスを用いて、ダブルクリックする事でファイルをオープンする事が出来る。
【０００３】
たとえば特許文献１には、マルチモニタ使用時、１アクションで表示したいモニタ上でのファイルのウィンドウを表示する事が出来るウィンドウオープン方法及び装置が開示されている。
【０００４】
この技術は、複数のモニタと、複数のモニタの画面上でカーソル操作が可能なマウスを有するコンピュータにおいて、複数のモニタのうち１つのモニタの画面上にファイルのウィンドウを表示する。マウスによる操作に応じて、複数のモニタの中から１つのモニタを選んで、その画面上のファイルをカーソルにより仮想的に掴みドラッグを行い、ファイルを複数のモニタのうちの任意の画面上にドロップする処理を行う。ファイルが任意の画面上にドロップする処理が行われた場合には、ファイルのウィンドウを任意の画面上にオープンする。
【先行技術文献】
【特許文献】
【０００５】
【特許文献１】特開２０１２−７９０２７号公報
【発明の概要】
【発明が解決しようとする課題】
【０００６】
しかしながら、ファイルは元のメールやアプリケーションファイルをオープンしている同一ディスプレイ上に重なってオープンされる為、元の画面が見えなくなってしまう。その為、元のメールやアプリケーションファイルと添付されていたファイルの両方を一度に見たい場合には、オープンしたファイルや元々のメールなどのウィンドウサイズを個別に縮小したり、移動したりする必要があり、効率的では無い。
【０００７】
本発明は、斯かる実情に鑑み、ファイルを表示画面上にオープンする場合に、元の画面上に重ならないように表示できる情報処理装置、情報処理方法及びそのプログラムを提供しようとするものである。
【課題を解決するための手段】
【０００８】
本発明は、表示装置の画面上に指定されたファイルをオープンして表示する情報処理装置であって、
前記ファイルに対するファイルオープンの操作を判定し、前記操作が前記ファイルに対して何れかの画面端に向かうフリック操作であるかを判定する操作判定部と、前記操作判定部により前記フリック操作によるフリック方向が判定された場合、判定されたフリック方向の画面端側にウィンドウを生成し、前記ウィンドウ内に前記ファイルをオープン表示して、残りの表示領域に合せて元画面を表示する表示制御部と、を備えることを特徴とするものである。
【０００９】
また、前記操作判定部が判定するフリック方向は、前記表示装置の表示画面の上下左右のいずれかの方向であることを特徴とする。
【００１０】
また、本発明は、表示装置の画面上に指定されたファイルを表示する情報処理方法であって、
前記ファイルに対するファイルオープンの操作を判定し、前記操作が前記ファイルに対して何れかの画面端に向かうフリック操作であるかを判定する操作判定ステップと、
前記操作判定部により前記フリック操作によるフリック方向が判定された場合、判定されたフリック方向の画面端側にウィンドウを生成し、前記ウィンドウ内に前記ファイルをオープン表示して、残りの表示領域に合せて元画面を表示する表示制御ステップと、を備えることを特徴とするものである。
【００１１】
また、本発明は、コンピュータに、前記情報処理方法の各ステップを実行させるためのプログラムである。
【発明の効果】
【００１２】
本発明によれば、フリック操作で画面上にファイルをオープンする場合、特定されたフリック方向の画面端側にウィンドウを生成して、前記ウィンドウに前記ファイルをオープン表示して、残りの表示領域に合せて元画面を表示するので、ユーザが元画像とファイルを同時に見るために、画面を縮小したり、移動したりする操作が不要となり、操作効率を挙げることができる。また、移動を伴わない操作であれば、元の画面に重なるようにウィンドウを生成して、そこにファイルをオープンして、ユーザがいずれかの表示を操作種類によって選択することができる。
【図面の簡単な説明】
【００１３】
【図１】本発明に係る情報処理装置であるタブレット端末の一例を示すブロック図である。
【図２】タブレット端末によるファイルオープン処理の一例を示すフローチャートである。
【図３】ファイルアイコンを左から右にフリックした場合のファイルオープンを示す図である。
【図４】フィルアイコンをダブルクリックした場合のファイルオープンを示す図である。
【図５】ファイルアイコンを上から下にフリックした場合のファイルオープンを示す図である。
【発明を実施するための形態】
【００１４】
以下、本発明の実施の形態を添付図面を参照して説明する。
【００１５】
図１は、本発明に係る情報処理装置であるタブレット端末の一例を示すブロック図である。
タブレット端末１０は、表示部２０と、制御部３０と、記憶部４０とを備える構成である。また、ユーザが入力を行うための操作入力部５０がある（詳しくは後述する）。
【００１６】
表示部２０は、タッチパネルであり、液晶や有機ＥＬなどの表示パネル２１と、タッチ操作による入力が可能な位置入力部２２からなる。ユーザが表示パネル２１に表示された画面を見てタッチした位置を位置入力部２２で検出して制御部３０に指示を与えるものである。操作入力部５０は、位置入力部２２の他に、外部接続するものとしてキーボード５１、タッチパッド５２、マウス５３などのポインティングデバイスがある。
【００１７】
制御部３０は、入力された位置やフリックやダブルクリックなどの操作種類を判定する操作判定部３１と、操作に応じて処理を実行する処理制御部３２と、ウィンドウを生成したり、ファイルを開いて表示したりする表示の処理を行う表示制御部３３とからなる。
【００１８】
記憶部４０は、メモリなどからなり、アプリケーション４１やデータ４２を記憶している。
【００１９】
＜実施形態１＞
図２は、タブレット端末によるファイルオープン処理の一例を示すフローチャートである。図３は、ファイルアイコンを左から右にフリックした場合のファイルオープンを示す図である。図４は、フィルアイコンをダブルクリックした場合のファイルオープンを示す図である。
【００２０】
まず、図２の処理に入る前に、ユーザは、操作入力部５０を用いて、アプリケーションを開く操作を行う。例えば、電子メールアプリケーションを開く操作を行う。タブレット端末１０の操作判定部３１は、入力された操作指示を判定し、制御部３０の処理制御部３２は、その操作判定に基づいて、ユーザによる電子メールアプリケーションの起動操作を認識し、記憶部４０からアプリケーション４１を読み出して起動させる。そして、表示制御部３３は表示部２０に電子メールアプリケーションを表示する。
【００２１】
次に、図２に示すように、ユーザは、メールに添付したファイルを示すアイコンにタッチ操作をする（ステップＳ１）。図３（ａ）示すように、表示部２０の画面には電子メールアプリケーションの表示７１がされており、ユーザは手６０でファイルを示すアイコン６１にタッチして操作を行う。
【００２２】
ここで、ファイルアイコン６１は、ファイルを示すファイル関連情報である。アイコン６１は、電子メールに添付のファイルにリンクするものであるが、それ以外にもリック先を示すＵＲＬでも構わない。アイコンやＵＲＬなどのファイルを示すファイル関連情報にタッチ操作することにより、表示操作を行う。
【００２３】
操作判定部３１は、タッチ操作の種類を判定するが、まずフリック操作であるか否かを判定する（ステップＳ２）。フリックであれば、操作判定部３１はフリック方向（タッチした手６０を移動させる方向）を判定する（ステップＳ３）。図３（ａ）では左から右方向（図の矢印方向）にフリックしていることを判定する。
【００２４】
次に処理制御部３２は、予め定められた操作処理に従って処理を実行する。ここでは操作対象であるファイルアイコン６１に対するフリック操作であるので、ファイルオープン処理を行う。すなわちアイコン６１のリンク先にあるファイルを記憶部４０から読み出す（ステップＳ４）。処理制御部３２は、操作判定情報とファイルデータを表示制御部３３に送る。
【００２５】
表示制御部３３は、図３（ｂ）に示すように、前記操作判定部３１が特定したフリック方向（移動方向）に画面を二分割するように並べてウィンドウ７２，７３を生成する（ステップＳ５）。
【００２６】
ここで、表示制御部３３が画面を２分割してウィンドウを生成する処理について説明する。
図３（ａ）に示すように、表示画面が座標（１，１）から座標（１０００，１５００）までのサイズであった場合には、図３（ｂ）に示すウィンドウ７２，７３は、次の座標に生成する。
【００２７】
フリック方向は左から右方向であるから、画面のＸ方向のサイズを２分割するようにウィンドウを生成する。従って、ウィンドウ７２は、座標（１，１）から座標（７５０，１０００）までの位置に生成する。ウィンドウ７３は、座標（７５１，１）から座標（１０００，１５００）までの位置に生成する。
【００２８】
次に表示制御部３３は、フリック方向の手前側のウィンドウ７２には、表示していた電子メールアプリケーションの画面を表示し、フリック方向先のウィンドウ７３にはタッチしたアイコン６１が示すファイルをオープンする（ステップＳ６）。
【００２９】
ステップＳ２で、操作判定部３１は、タッチ操作がフリックでなければ、タッチ操作がダブルクリックであるかを判定する（ステップＳ７）。図４（ａ）に示すように、ダブルクリックであれば、処理制御部３２は、記憶部４０のデータ４２にあるアイコン６１の示すファイルを読み出し（ステップＳ８）、そのデータを表示制御部３３に送る。
【００３０】
表示制御部３３は、図４（ｂ）に示すように、表示部２０に表示されている電子メール表示画面７１に重ねて、ウィンドウ７４を生成する（ステップＳ９）。つまり、表示画面が座標（１，１）から座標（１０００，１５００）までのサイズであった場合には、全く同じサイズの座標（１，１）から座標（１０００，１５００）までのウィンドウ７４を生成する。
表示制御部３３は、生成したウィンドウ７４にファイルをオープンして表示する（ステップＳ１０）。
【００３１】
こうして、操作対象のファイル関連情報に対して、フリックのような移動を伴う操作を行った場合、移動方向に画面を２分割して、ウィンドウが重なり合わないように生成し、それぞれウィンドウに元画面とファイルを表示するので、ユーザはウィンドウを縮小したり移動したりするなどの操作をすることなくオープンしたファイルと元画面を確認することができ、操作効率を上げることができる。また、フリック方向の先にウィンドウを生成するので、ユーザが所望の位置にウィンドウを形成できる。さらに、ダブルクリックのような移動を伴わない操作の時には、表示画面に重なるようにウィンドウを生成してそこにファイルをオープンすることもできるので、ユーザは操作種類によって、表示方法を選択できる。
【００３２】
＜実施形態２＞
上記は、表示画面の左から右にフリックした場合を示したが、実施形態２では、上から下へフリックした場合を説明する。図５は、ファイルアイコンを下にフリックした場合のファイルオープンを示す図である。
【００３３】
図５（ａ）に示すように、ユーザがフリック方向として上から下にフリックしたとする。タブレット端末１０の制御部３０は、図２のフローチャートに従って、フリック方向にウィンドウを並べて生成する。つまり、表示制御部３３は、図５（ｂ）に示すように、表示パネル２１の画面を上下に２分割するように、ウィンドウ７５，７６を生成する。上側のウィンドウ７５には電子メール画面（元画面）を表示し、移動先の下側のウィンドウ７６にはファイルをオープンして表示する。
【００３４】
以上のように、図２のステップ２においては、操作判定部３１が表示部２０の上下左右のいずれの方向であるかを判定する。一般には、表示部２０は、矩形をしており、その外形四辺のいずれに向かう方向であるかを判定する。この判定する移動方向は、任意に設定できるものであり、操作の移動方向をこの設定された方向に特定し、この方向にウィンドウを生成することになる。
【００３５】
以上、この発明の実施形態を図面を参照して詳述してきたが、具体的な構成はこれらの実施形態に限られるものではなく、この発明の要旨を逸脱しない範囲の設計変更等された発明も含まれる。
【００３６】
本実施形態においては、表示画面を同じ大きさに２分割したが、サイズが異なっていてもよい。そのときのサイズは、ユーザが任意に設定できるようにしておくことも可能である。また、実施形態では、操作種類をフリックとダブルクリックの２種類としたが、特にこれに限定されるわけではない。フリックのような移動を伴う操作と、ダブルクリックのように移動を伴わない操作で、ウィンドウの生成を区別すればよい。
【００３７】
また、本実施形態において、ファイルは、記憶部４０に格納されているとしたが、例えばクラウドサービスにより外部に存在するファイルでもよい。その時は、操作対象となるアイコンやＵＲＬにリンク先情報が付加されており、タブレット端末１０の制御部３０が、インターネットなどに接続してリンク先のファイルにアクセスすることになる。
【００３８】
また、本実施形態では、移動先の方のウィンドウにファイルをオープンしたが、移動手前のウィンドウの方にファイルをオープンし、移動先のウィンドウに元画面を表示するように設定は可能である。
【００３９】
また、本発明による情報処理装置で動作するプログラムは、本発明に関わる上記実施形態の機能を実現するように、ＣＰＵ（Central Processing Unit）等を制御するプログラム（コンピュータを機能させるプログラム）であっても良い。そして、この装置で取り扱われる情報は、記憶部４０に格納され、必要に応じてＣＰＵによって読み出し、修正・書き込みが行われる。また、各構成の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【００４０】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【符号の説明】
【００４１】
１０      ：タブレット端末
２０      ：表示部
２１      ：表示パネル
２２      ：位置入力部
３０      ：制御部
３１      ：操作判定部
３２      ：処理制御部
３３      ：表示制御部
４０      ：記憶部
５０      ：操作入力部
【図１】
2018010678.tif 000003
【図２】
2018010678.tif 000004
【図３】
2018010678.tif 000005
【図４】
2018010678.tif 000006
【図５】
2018010678.tif 000007